(57)【要約】【課題】記号の選択操作が容易な文書処理装置を提供する。【解決手段】文書処理装置（テープ印刷装置１）は、複数の記号の情報を記憶する記号記憶部３４ｂと、選択された記号を格納する記号格納部（記号格納バッファー３２ｂ）と、文字キーおよび制御キーの押下操作を受け付ける操作受付部（キーボード１１）と、操作受付部が受け付けた文字キーに割り当てられた文字と同義の記号を記号記憶部３４ｂに記憶された記号の中から検索する同義記号検索部（制御部３０）と、同義記号検索部が検索した結果の記号である同義記号を表示する記号表示部（表示部１２）と、操作受付部が所定の制御キーの押下操作を受け付けると、記号表示部に表示されている同義記号を選択して、記号格納部に格納する記号格納制御部（制御部３０）と、を備える。【選択図】図３
2012125929.tif 000002
【特許請求の範囲】
【請求項１】
複数の記号の情報を記憶する記号記憶部と、
選択された記号を格納する記号格納部と、
文字キーおよび制御キーの押下操作を受け付ける操作受付部と、
前記操作受付部が受け付けた前記文字キーに割り当てられた文字と同義の記号を前記記号記憶部に記憶された記号の中から検索する同義記号検索部と、
前記同義記号検索部が検索した結果の記号である同義記号を表示する記号表示部と、
前記操作受付部が所定の制御キーの押下操作を受け付けると、前記記号表示部に表示されている前記同義記号を選択して、前記記号格納部に格納する記号格納制御部と、
を備えることを特徴とする文書処理装置。
【請求項２】
請求項１に記載の文書処理装置であって、
前記操作受付部が同一の前記文字キーの押下操作を連続して受け付けると、前記同義記号検索部は、前記記号記憶部に記憶されている前記文字キーに割り当てられた文字と同義の記号を順次検索することを特徴とする文書処理装置。
【請求項３】
請求項１または２に記載の文書処理装置であって、
前記記号格納制御部が、一の文字キーに割り当てられた文字と同義の一の同義記号を前記記号格納部に格納した後、次に、前記操作受付部が他の文字キーを受け付けると、前記同義記号検索部は、前記他の文字キーに割り当てられた文字と同義で、且つ前回選択された前記一の同義記号と同種の記号を検索することを特徴とする文書処理装置。
【請求項４】
請求項１乃至３のいずれか一項に記載の文書処理装置であって、
前記同義記号検索部は、文字キーに割り当てられた文字と、前記記号記憶部に記憶されている同義の記号と、を関連付けて記憶する同義記号テーブルを有することを特徴とする文書処理装置。
【請求項５】
請求項１乃至４のいずれか一項に記載の文書処理装置であって、
文字の入力操作を受け付ける第１の状態と記号の選択操作を受け付ける第２の状態とを切り換える制御部をさらに有し、
前記同義記号検索部が、前記文字キーに割り当てられた文字と同義の記号を検索するのは、前記制御部が前記第２の状態に切り換えている場合であることを特徴とする文書処理装置。
【請求項６】
複数の記号の情報を記憶する記号記憶部と、選択された記号を格納する記号格納部と、文字キーおよび制御キーの押下操作を受け付ける操作受付部と、を有する文書処理装置の制御方法であって、
前記操作受付部が受け付けた前記文字キーに割り当てられた文字と同義の記号を前記記号記憶部に記憶された記号の中から検索する同義記号検索ステップと、
前記同義記号検索ステップによって検索された結果の記号である同義記号を表示する記号表示ステップと、
前記操作受付部が所定の制御キーの押下操作を受け付けると、前記記号表示ステップによって表示された前記同義記号を選択して、前記記号格納部に格納する記号格納制御ステップと、
を備えることを特徴とする文書処理装置の制御方法。
【請求項７】
コンピューターに、請求項６に記載の文書処理装置の制御方法における各ステップを実行させるためのプログラム。
【請求項８】
選択された文字や記号に基づいた画像をテープに印刷するテープ印刷装置であって、
複数の記号の情報を記憶する記号記憶部と、
選択された記号を格納する記号格納部と、
文字キーおよび制御キーの押下操作を受け付ける操作受付部と、
前記操作受付部が受け付けた前記文字キーに割り当てられた文字と同義の記号を前記記号記憶部に記憶された記号の中から検索する同義記号検索部と、
前記同義記号検索部が検索した結果の記号である同義記号を表示する記号表示部と、
前記操作受付部が所定の制御キーの押下操作を受け付けると、前記記号表示部に表示されている前記同義記号を選択して、前記記号格納部に格納する記号格納制御部と、
前記記号格納部に格納された記号に基づいた画像を前記テープに印刷する印刷部と、
を備えることを特徴とするテープ印刷装置。
【請求項９】
複数の記号の情報を記憶する記号記憶部と、選択された記号を格納する記号格納部と、文字キーおよび制御キーの押下操作を受け付ける操作受付部と、を有し、選択された文字や記号に基づいた画像をテープに印刷するテープ印刷装置の制御方法であって、
前記操作受付部が受け付けた前記文字キーに割り当てられた文字と同義の記号を前記記号記憶部に記憶された記号の中から検索する同義記号検索ステップと、
前記同義記号検索ステップによって検索された結果の記号である同義記号を表示する記号表示ステップと、
前記操作受付部が所定の制御キーの押下操作を受け付けると、前記記号表示ステップによって表示された前記同義記号を選択して、前記記号格納部に格納する記号格納制御ステップと、
前記記号格納部に格納された記号に基づいた画像を前記テープに印刷する印刷ステップと、
を備えることを特徴とするテープ印刷装置の制御方法。
【請求項１０】
コンピューターに、請求項９に記載のテープ印刷装置の制御方法における各ステップを実行させるためのプログラム。
【発明の詳細な説明】
【技術分野】
【０００１】
本発明は、文書処理装置、テープ印刷装置、及びその制御方法、並びにプログラムに関する。
【背景技術】
【０００２】
従来、テープ印刷装置などの文書処理装置において、通常の文字以外の様々な記号や絵文字が記憶されたものが知られている。このような文書処理装置においては、ユーザーが記号・絵文字選択画面によって記号や絵文字を選択して、編集中の文書（文字列）に挿入することが可能となっている。特許文献１には、絵文字指定データ記憶手段に記憶された複数の絵文字指定データの中から、ランダムに１つの絵文字指定データを選択して印刷する印刷装置（テープ印刷装置）が開示されている。
【先行技術文献】
【特許文献】
【０００３】
【特許文献１】特開２００２−１０３６９５号公報
【発明の概要】
【発明が解決しようとする課題】
【０００４】
しかしながら、従来のテープ印刷装置などの文書処理装置では、記号や絵文字の一覧が表示される記号・絵文字選択画面において、カーソルを移動して記号や絵文字を選択させるようになっていた。このため、ユーザーが所望の記号や絵文字を編集中の文書（文字列）に挿入するためには、記号・絵文字選択画面においてカーソルを移動させて記号や絵文字を探し、選択するという操作を行わなければならなかった。特に、複数の記号や絵文字を選択する場合には、このような操作を複数回行う必要があり、手間が掛かっていた。
【課題を解決するための手段】
【０００５】
本発明は、上述の課題の少なくとも一部を解決するためになされたものであり、以下の形態または適用例として実現することが可能である。
【０００６】
［適用例１］本適用例に係る文書処理装置は、複数の記号の情報を記憶する記号記憶部と、選択された記号を格納する記号格納部と、文字キーおよび制御キーの押下操作を受け付ける操作受付部と、前記操作受付部が受け付けた前記文字キーに割り当てられた文字と同義の記号を前記記号記憶部に記憶された記号の中から検索する同義記号検索部と、前記同義記号検索部が検索した結果の記号である同義記号を表示する記号表示部と、前記操作受付部が所定の制御キーの押下操作を受け付けると、前記記号表示部に表示されている前記同義記号を選択して、前記記号格納部に格納する記号格納制御部と、を備えることを特徴とする。
【０００７】
このような文書処理装置によれば、同義記号検索部は、操作受付部が受け付けた文字キーに割り当てられた文字と同義の記号（以降、絵文字も記号とする）を記号記憶部の中から検索し、記号表示部がこの同義記号を表示する。所定の制御キーが押下されると、記号格納制御部は、この同義記号を選択して記号格納部に格納する。これにより、文字キーに割り当てられた文字の同義記号の選択操作が容易になる。つまり、ユーザーは、記号を選択する際に、カーソルを移動させて記号を探し、選択するという操作を行う必要がないため、利便性が向上する。
【０００８】
［適用例２］上記適用例に係る文書処理装置において、前記操作受付部が同一の前記文字キーの押下操作を連続して受け付けると、前記同義記号検索部は、前記記号記憶部に記憶されている前記文字キーに割り当てられた文字と同義の記号を順次検索することを特徴とする。
【０００９】
このような文書処理装置によれば、同一の文字キーの押下操作を連続して受け付けると、同義記号検索部は、記号記憶部に記憶されている同義の記号を順次検索する。これにより、同一の文字キーを連続押下することにより、同義記号の候補が順次表示され、選択することが可能になる。よって、ユーザーは、同義記号の選択を容易に行うことができる。
【００１０】
［適用例３］上記適用例に係る文書処理装置において、前記記号格納制御部が、一の文字キーに割り当てられた文字と同義の一の同義記号を前記記号格納部に格納した後、次に、前記操作受付部が他の文字キーを受け付けると、前記同義記号検索部は、前記他の文字キーに割り当てられた文字と同義で、且つ前回選択された前記一の同義記号と同種の記号を検索することを特徴とする。
【００１１】
このような文書処理装置によれば、一の同義記号が選択された後、他の文字キーを受け付けると、同義記号検索部は、他の文字キーに割り当てられた文字と同義で、且つ前回選択された一の同義記号と同種の記号を検索する。これにより、ユーザーは、他の文字キーに割り当てられた文字と同義で、且つ前回選択された一の同義記号と同種の記号を選択することが可能になる。つまり、連続して同種の記号を入力することが可能になる。
【００１２】
［適用例４］上記適用例に係る文書処理装置において、前記同義記号検索部は、文字キーに割り当てられた文字と、前記記号記憶部に記憶されている同義の記号と、を関連付けて記憶する同義記号テーブルを有することを特徴とする。
【００１３】
このような文書処理装置によれば、同義記号検索部は、文字キーに割り当てられた文字と同義の記号を、同義記号テーブルを用いて検索することができる。これにより、同義の記号の検索処理が簡易になる。
【００１４】
［適用例５］上記適用例に係る文書処理装置において、文字の入力操作を受け付ける第１の状態と記号の選択操作を受け付ける第２の状態とを切り換える制御部をさらに有し、前記同義記号検索部が、前記文字キーに割り当てられた文字と同義の記号を検索するのは、前記制御部が前記第２の状態に切り換えている場合であることを特徴とする。
【００１５】
このような文書処理装置によれば、記号の選択操作を受け付ける第２の状態に切り換わっている場合に、同義記号検索部は、文字キーに割り当てられた文字と同義の記号を検索する。これにより、記号の選択操作を受け付ける第２の状態の場合のみ、同義記号が検索して表示されるので、第１の状態での文字の入力効率を低下させることがない。
【００１６】
［適用例６］本適用例に係る文書処理装置の制御方法は、複数の記号の情報を記憶する記号記憶部と、選択された記号を格納する記号格納部と、文字キーおよび制御キーの押下操作を受け付ける操作受付部と、を有する文書処理装置の制御方法であって、前記操作受付部が受け付けた前記文字キーに割り当てられた文字と同義の記号を前記記号記憶部に記憶された記号の中から検索する同義記号検索ステップと、前記同義記号検索ステップによって検索された結果の記号である同義記号を表示する記号表示ステップと、前記操作受付部が所定の制御キーの押下操作を受け付けると、前記記号表示ステップによって表示された前記同義記号を選択して、前記記号格納部に格納する記号格納制御ステップと、を備えることを特徴とする。
【００１７】
このような文書処理装置の制御方法によれば、文字キーに割り当てられた文字の同義記号の選択操作が容易になる。つまり、ユーザーは、記号を選択する際に、カーソルを移動させて記号を探し、選択するという操作を行う必要がないため、利便性が向上する。
【００１８】
［適用例７］本適用例に係るプログラムは、コンピューターに、上記適用例に記載の文書処理装置の制御方法における各ステップを実行させるためのものであることを特徴とする。
【００１９】
このようなプログラムをコンピューターに実行させることにより、文字キーに割り当てられた文字の同義記号の選択操作が容易になる。つまり、ユーザーは、記号を選択する際に、カーソルを移動させて記号を探し、選択するという操作を行う必要がないため、利便性が向上する。
【００２０】
［適用例８］本適用例に係るテープ印刷装置は、選択された文字や記号に基づいた画像をテープに印刷するテープ印刷装置であって、複数の記号の情報を記憶する記号記憶部と、選択された記号を格納する記号格納部と、文字キーおよび制御キーの押下操作を受け付ける操作受付部と、前記操作受付部が受け付けた前記文字キーに割り当てられた文字と同義の記号を前記記号記憶部に記憶された記号の中から検索する同義記号検索部と、前記同義記号検索部が検索した結果の記号である同義記号を表示する記号表示部と、前記操作受付部が所定の制御キーの押下操作を受け付けると、前記記号表示部に表示されている前記同義記号を選択して、前記記号格納部に格納する記号格納制御部と、前記記号格納部に格納された記号に基づいた画像を前記テープに印刷する印刷部と、を備えることを特徴とする。
【００２１】
このようなテープ印刷装置によれば、文字キーに割り当てられた文字の同義記号の選択操作を容易に行うことができる。そして、選択した記号をテープに印刷することができる。つまり、ユーザーは、記号を選択する際に、カーソルを移動させて記号を探し、選択するという操作を行う必要がないため、利便性が向上する。
【００２２】
［適用例９］本適用例に係るテープ印刷装置の制御方法は、複数の記号の情報を記憶する記号記憶部と、選択された記号を格納する記号格納部と、文字キーおよび制御キーの押下操作を受け付ける操作受付部と、を有し、選択された文字や記号に基づいた画像をテープに印刷するテープ印刷装置の制御方法であって、前記操作受付部が受け付けた前記文字キーに割り当てられた文字と同義の記号を前記記号記憶部に記憶された記号の中から検索する同義記号検索ステップと、前記同義記号検索ステップによって検索された結果の記号である同義記号を表示する記号表示ステップと、前記操作受付部が所定の制御キーの押下操作を受け付けると、前記記号表示ステップによって表示された前記同義記号を選択して、前記記号格納部に格納する記号格納制御ステップと、前記記号格納部に格納された記号に基づいた画像を前記テープに印刷する印刷ステップと、を備えることを特徴とする。
【００２３】
このようなテープ印刷装置の制御方法によれば、文字キーに割り当てられた文字の同義記号の選択操作を容易に行うことができる。そして、選択した記号をテープに印刷することができる。つまり、ユーザーは、記号を選択する際に、カーソルを移動させて記号を探し、選択するという操作を行う必要がないため、利便性が向上する。
【００２４】
［適用例１０］本適用例に係るプログラムは、コンピューターに、上記適用例に記載のテープ印刷装置の制御方法における各ステップを実行させるためのものであることを特徴とする。
【００２５】
このようなプログラムをコンピューターに実行させることにより、文字キーに割り当てられた文字の同義記号の選択操作を容易に行うことができる。そして、選択した記号をテープに印刷することができる。つまり、ユーザーは、記号を選択する際に、カーソルを移動させて記号を探し、選択するという操作を行う必要がないため、利便性が向上する。
【図面の簡単な説明】
【００２６】
【図１】実施形態のテープ印刷装置を示す斜視図。
【図２】実施形態のテープ印刷装置を示す斜視図。
【図３】テープ印刷装置の回路構成を示すブロック図。
【図４】同義記号テーブルの説明図であり、（ａ）は、数字に対する同義記号テーブル、（ｂ）は、アルファベットに対する同義記号テーブル。
【図５】テープ印刷装置の記号入力についての状態遷移図。
【図６】テープ印刷装置において同種の記号を入力する場合の画面とその遷移の説明図。
【図７】テープ印刷装置において同種の記号を入力する場合の画面とその遷移の説明図。
【図８】テープ印刷装置において記号種類を切り換えて入力する場合の画面とその遷移の説明図。
【図９】テープ印刷装置において記号種類を切り換えて入力する場合の画面とその遷移の説明図。
【発明を実施するための形態】
【００２７】
以下、実施形態について説明する。
【００２８】
本実施形態では、文書処理装置の実施形態として、入力された文字列や記号に基づいた画像をテープに印刷するテープ印刷装置について説明する。
【００２９】
図１および図２は、本実施形態のテープ印刷装置を示す斜視図である。
図１および図２に示すように、テープ印刷装置１は、本体が筐体１０に収容された構成を有しており、筐体１０の上面手前側には、操作受付部であるキーボード１１が備えられている。キーボード１１は、文字列の入力等、ユーザーによる各種入力操作、選択操作を受け付ける入力部であり、仮名、漢字、アルファベット、数字、および記号等からなる文字列を入力可能な多数の文字キーと、テープ印刷装置１に対して各種動作を指示するための複数の制御キーとを有している。
【００３０】
キーボード１１が備える制御キーには、電源のオンとオフとを切り替えるための電源キー、入力した仮名を漢字に変換するための変換キー、入力した文字列等を確定させるための選択キー、入力した文字列を削除するための削除キー、カーソルの移動等に用いられるカーソルキー、印刷を実行させるための印刷キー、メニュー画面を表示させるためのメニューキー、記号選択画面を表示させるための記号キー、シフトキー等が含まれる。
【００３１】
筐体１０の上面奥側には、液晶表示装置等からなる表示部１２が備えられている。表示部１２は、マトリクス状に配列された多数の画素で画像を形成するものであり、キーボード１１から入力された文字の表示や、メニュー画面やメッセージ画面の表示等に用いられる。
【００３２】
筐体１０の上面奥側には、表示部１２に隣接して、テープカートリッジ２を装着するための凹部１３が形成されている。凹部１３の開口部上には、開閉蓋１４が開閉可能に備えられており、開閉蓋１４を開放状態にすることによって、テープカートリッジ２を着脱することが可能となる。また、開閉蓋１４には、透光性を有する確認窓１４ａが備えられており、凹部１３にテープカートリッジ２が装着されているか否かを外部から視認可能になっている。凹部１３の底面には、サーマルヘッド１５や、搬送機構１６（図３参照）を構成する回転軸１６ａ，１６ｂが設けられており、凹部１３にテープカートリッジ２を装着すると、テープカートリッジ２に設けられた孔状のヘッド嵌合部２１にサーマルヘッド１５が嵌合するとともに、孔状の被駆動部２２ａ，２２ｂに回転軸１６ａ，１６ｂがそれぞれ係合する。
【００３３】
テープカートリッジ２には、カートリッジケース２０の内部に、ともに帯状のテープＴとインクリボンＲとが内蔵されている。テープＴは、テープ印刷装置１の印刷媒体であり、ＰＥＴ（ポリエチレンテレフタレート）或いは紙材等からなる基材の裏面に接着剤層が形成され、それが剥離紙によって覆われた構成になっている。テープ印刷装置１は、テープＴの幅や素材（基材の材質）、色等が異なる複数種類のテープカートリッジ２に対応可能であり、ユーザーは、用途や好みに応じたテープカートリッジ２を使用することができる。なお、テープカートリッジ２の裏面には、内蔵するテープＴを識別するための複数の孔（図示せず）が設けられており、テープ印刷装置１は、凹部１３の底面に備えられたマイクロスイッチ等の識別センサー１９（図３参照）によって、装着されたテープカートリッジ２のテープ種別を識別することができる。
【００３４】
テープカートリッジ２を凹部１３に装着すると、テープＴの表面は、ヘッド嵌合部２１において、インクリボンＲを介してサーマルヘッド１５と対向する。サーマルヘッド１５には、テープＴの長手方向（搬送方向）と直交する方向に１列に配列された多数の発熱素子（図示せず）が形成されており、各発熱素子を選択的に発熱させることにより、インクリボンＲのインクがテープＴの表面に転写（熱転写）される。つまり、テープＴの表面には、発熱した発熱素子に対応する位置にドットが形成される。ここで、回転軸１６ａ，１６ｂを回転駆動すると、テープＴとインクリボンＲは搬送されて、テープＴはカートリッジケース２０の外部に排出され、インクリボンＲはカートリッジケース２０の内部で巻き取られる。そして、テープＴとインクリボンＲとを少しずつ搬送しながら上記の熱転写を繰り返すことにより、複数のドットで構成される画像がテープＴの表面に印刷される。
【００３５】
筐体１０の側面には、筐体１０の外部と凹部１３とを連通するスリット１７が設けられており、カートリッジケース２０から排出された印刷済みのテープＴは、スリット１７を通って筐体１０の外部に向けて所定量だけ搬送される。筐体１０の内部には、スリット１７を横断するテープＴを切断するためのカッターユニット１８が配設されており、テープＴの印刷済みの部位は、このカッターユニット１８によって切り離され、テープ片（ラベル）としてスリット１７の開口部（テープ排出口）から排出される。
【００３６】
図３は、テープ印刷装置１の回路構成を示すブロック図である。
図３に示すように、テープ印刷装置１は、上述したキーボード１１、表示部１２、サーマルヘッド１５、回転軸１６ａ，１６ｂ（図２参照）を含む搬送機構１６、カッターユニット１８、識別センサー１９の他に、テープ印刷装置１の動作を統括制御する制御部３０、表示部１２に画像を表示させる表示駆動部４１、サーマルヘッド１５を発熱駆動するヘッド駆動部４２、搬送機構１６を駆動する搬送駆動部４３、カッターユニット１８を駆動するカッター駆動部４４等を備えている。
【００３７】
制御部３０は、コンピューターとして機能するものであり、互いにバス３０ａを介して接続されたＣＰＵ（Central Processing Unit）３１、ＲＡＭ（Random Access Memory）３２、ＲＯＭ（Read Only Memory）３３、ＣＧＲＯＭ（キャラクタージェネレーターＲＯＭ）３４、入力インターフェイス（Ｉ／Ｆ）３５、出力インターフェイス（Ｉ／Ｆ）３６等を有している。
【００３８】
ＣＰＵ３１は、ＲＯＭ３３に記憶されている制御プログラムに従って動作し、テープ印刷装置１全体の各種動作を制御する。
【００３９】
ＲＡＭ３２は、揮発性の記憶装置で構成された記憶部であり、ＣＰＵ３１の各種処理結果や、キーボード１１から入力された文字コード列、表示部１２に表示される表示画像データ、サーマルヘッド１５により印刷される印刷画像データ等を一時的に記憶する。本実施形態では、文字コード列を格納するバッファーを文字列格納バッファー３２ａと呼ぶ。また、選択された記号コード列を一時的に格納するバッファーを記号格納バッファー３２ｂと呼ぶ。記号格納バッファー３２ｂが記号格納部に相当する。なお、これらの文字コード列や記号コード列等は、不揮発性の記憶装置であるフラッシュメモリー等に記憶してもよい。
【００４０】
ＲＯＭ３３およびＣＧＲＯＭ３４は、マスクＲＯＭやフラッシュメモリー等の不揮発性の記憶装置で構成された記憶部であり、ＲＯＭ３３には、上述した制御プログラムや各種データ等が記憶されている。また、ＲＯＭ３３には、ＣＧＲＯＭ３４の記号記憶部３４ｂに記憶された記号のうち、キーボード１１に備わる文字キーに対応する文字と同義の記号をグループ化してテーブルとして記憶する同義記号テーブル３３ｔが記憶されている。ＣＰＵ３１は、同義記号テーブル３３ｔを検索することで同義記号を検出する。
【００４１】
ここで、同義記号テーブル３３ｔについて説明する。同義記号テーブル３３ｔは、キーボード１１に備わる文字キーに対応する文字コードと、その文字に同義の記号コードをテーブルとして記憶する。
図４は、同義記号テーブル３３ｔの説明図であり、図４（ａ）は、数字に対する同義記号テーブルであり、図４（ｂ）は、アルファベットに対する同義記号テーブルである。
【００４２】
図４（ａ）に示すように、数字に対する同義記号テーブル３３ｔ１は、文字キー（数字キー）に対応する文字（数字）３３ｔ１ａを横方向に複数並べた状態で記憶している。そして、それぞれの文字３３ｔ１ａに対して、同義の記号３３ｔ１ｂを縦方向に並べた状態で記憶している。ここでは、同義の記号３３ｔ１ｂは、丸付き数字、漢数字、ローマ数字大文字、ローマ数字小文字、下付き数字、上付き数字を記憶している。例えば、文字「１」に同義の記号３３ｔ１ｂは、「丸付き数字の１（以降、＜１＞で表す）」、「漢数字の１（一）」、「ローマ数字大文字の１」、「ローマ数字小文字の１」、「下付き数字の１」、「上付き数字の１」が記憶されている。
【００４３】
また、図４（ｂ）に示すように、アルファベットに対する同義記号テーブル３３ｔ２は、文字キー（アルファベットキー）に対応する文字（アルファベット）３３ｔ２ａを横方向に複数並べた状態で記憶している。そして、それぞれの文字３３ｔ２ａに対して、同義の記号３３ｔ２ｂが縦方向に記憶されている。なお、図４では、数字およびアルファベットに関する同義の記号を記しているが、キーボード１１に備わる文字キーに対応していれば、その他の文字についても同義記号テーブル３３ｔに記憶してもよい。また、文字キーに対応する文字と同義の記号との関連付け方法は、上記の同義記号テーブル３３ｔのような方法に限定するものではなく、他の関連付け方法としてもよい。
【００４４】
図３に戻り、ＣＧＲＯＭ３４には、テープ印刷装置１で印刷可能な文字（記号・絵文字も含む）のフォントデータが記憶されている。フォントデータは、サーマルヘッド１５により印刷される文字や、表示部１２に表示される文字を生成するためのビットマップ形式のデータである。ビットマップ形式のフォントデータは多数のドットで構成されており、各ドットはサーマルヘッド１５の発熱素子や表示部１２の画素に対応する。ＣＧＲＯＭ３４には、複数のフォントのフォントデータが記憶されており、ＣＰＵ３１は、フォントの種別、文字サイズおよび文字コードを指定することによって、対応するフォントデータをＣＧＲＯＭ３４から取得し、このフォントデータを用いて表示画像データおよび印刷画像データを形成する。本実施形態では、文字のフォントデータはＣＧＲＯＭ３４の文字記憶部３４ａに記憶される。また、記号（絵文字）のフォントデータはＣＧＲＯＭ３４の記号記憶部３４ｂに記憶される。なお、フォントデータとしては、種々の文字サイズに対応させやすいアウトライン形式のフォントデータを用いるようにしてもよい。
【００４５】
入力インターフェイス３５には、キーボード１１および識別センサー１９が接続されている。ユーザーによりキーボード１１が操作されると、キーボード１１は、この操作を入力操作として受け付けて、操作されたキーに対応するキー情報を、入力インターフェイス３５を介してＣＰＵ３１に出力する。また、識別センサー１９は、装着されたテープカートリッジ２のテープ種別に応じた識別情報を、入力インターフェイス３５を介してＣＰＵ３１に出力する。
【００４６】
出力インターフェイス３６には、表示駆動部４１、ヘッド駆動部４２、搬送駆動部４３、およびカッター駆動部４４が接続されており、これらは、ＣＰＵ３１の制御に基づいて、表示部１２、サーマルヘッド１５、搬送機構１６、およびカッターユニット１８をそれぞれ駆動する。
【００４７】
上記のように構成されたテープ印刷装置１において、ユーザーにより電源キーが操作されると、テープ印刷装置１は、動作を開始し、文字キーによる文字の入力や、制御キーによる各種指示が可能な状態となる。
【００４８】
ここで、ユーザーにより文字キーが操作されて文字が入力されると、キーボード１１は、この入力を受け付けて制御部３０にキー情報を出力する。制御部３０は、キーボード１１から入力されるキー情報に基づいて、入力された文字の文字コードを特定し、この文字コードをＲＡＭ３２の文字列格納バッファー３２ａに記憶する。また、記号や絵文字の入力の場合には、制御部３０は、記号（絵文字）入力状態おいて選択された記号や絵文字の文字コードを特定し、この文字コードをＲＡＭ３２の文字列格納バッファー３２ａに記憶する。そして、制御部３０は、これらの文字コードに対応するフォントデータをＣＧＲＯＭ３４から取得し、このフォントデータを用いて表示画像データを生成する。制御部３０がこの表示画像データを表示駆動部４１に供給すると、入力された文字や記号が表示部１２に表示される。そして、ユーザーが文字の入力を複数回繰り返せば、ＲＡＭ３２の文字列格納バッファー３２ａには、複数の文字コードを含んだ文字コード列（テキストデータ）が記憶され、表示部１２には、複数の文字や記号からなる文字列が表示される。
【００４９】
文字（文字列）が入力された後、ユーザーにより印刷キーが操作されると、テープ印刷装置１は、文字列格納バッファー３２ａに格納された文字コード列に基づいて印刷処理を実行する。このときの制御部３０、ヘッド駆動部４２、サーマルヘッド１５、搬送駆動部４３、および搬送機構１６が印刷部に相当する。
【００５０】
以降、テープ印刷装置１の記号（絵文字）入力の動作について説明する。
まず、テープ印刷装置１の記号入力の状態遷移について、状態遷移図を用いて説明する。図５は、本実施形態に係るテープ印刷装置１の記号入力についての状態遷移図である。
【００５１】
図５に示すように、テープ印刷装置１は、文字入力状態ＳＴ１１、記号入力状態ＳＴ１２、および連続記号入力状態ＳＴ１３に遷移可能となっている。
【００５２】
テープ印刷装置１は、電源キーが押下されると、文字入力状態ＳＴ１１となる。文字入力状態ＳＴ１１は、テープ印刷装置１が、文字入力を受け付ける状態である。文字入力状態ＳＴ１１においては、表示部１２に文字入力のための画面が表示されている。文字入力のための画面については後述する。ここで、文字入力状態ＳＴ１１は第１の状態に相当する。
【００５３】
文字入力状態ＳＴ１１において、キーボード１１に備わる記号キーが押下されると、テープ印刷装置１は、記号入力状態ＳＴ１２に遷移する。記号入力状態ＳＴ１２は、テープ印刷装置１が、記号や絵文字の変更操作や選択操作を受け付ける状態である。記号入力状態ＳＴ１２においては、表示部１２に記号選択のための画面が表示されている。記号選択のための画面については後述する。ここで、記号入力状態ＳＴ１２は第２の状態に相当する。
【００５４】
記号入力状態ＳＴ１２において、キーボード１１に備わるシフトキーおよび選択キーが同時に押下されると、テープ印刷装置１は、連続記号入力状態ＳＴ１３に遷移する。また、記号入力状態ＳＴ１２において、キーボード１１に備わる選択キーが押下されると、テープ印刷装置１は、文字入力状態ＳＴ１１に遷移する。
【００５５】
連続記号入力状態ＳＴ１３は、テープ印刷装置１が、記号や絵文字の変更操作や連続選択操作を受け付ける状態である。連続記号入力状態ＳＴ１３においては、表示部１２に連続記号選択のための画面が表示されている。連続記号選択のための画面については後述する。ここで、連続記号入力状態ＳＴ１３は第２の状態に相当する。
【００５６】
連続記号入力状態ＳＴ１３において、キーボード１１に備わる選択キーが押下されると、テープ印刷装置１は、文字入力状態ＳＴ１１に遷移する。
【００５７】
次に、テープ印刷装置１において記号入力を行う際の操作と画面の遷移と処理について説明する。
まずは、同種の記号を入力する場合の操作と画面遷移および処理について説明する。
【００５８】
図６および図７は、テープ印刷装置１において同種の記号を入力する場合の画面とその遷移の説明図である。
【００５９】
図６の画面Ｇ１０１は、文字入力状態ＳＴ１１であり、文字がまだ入力されていない状態の画面を表している。ここで、数字の「１」は、１行目を表したマークである。画面Ｇ１０１において、キーボード１１に備わる記号キーが押下されると、制御部３０は、表示部１２に記号選択のための画面Ｇ１０２を表示させ、記号入力状態ＳＴ１２に遷移させる。画面Ｇ１０２の上部には、「記号」の文字列が表示される。そして、画面Ｇ１０２の「記号」の下部には、「記号」に含まれるカテゴリーの候補として、「仕事」、「公共用」、「環境」の文字列が縦に並んで表示されている。ここで、「公共用」の文字列は、反転表示されており、カーソルがあることを表している。画面Ｇ１０２のカテゴリー表示の右側には、現在カーソルがある「公共用」カテゴリーに含まれる記号（絵文字）が表示されている。
【００６０】
画面Ｇ１０２において、下カーソルキーが数回押下されると、制御部３０は、画面Ｇ１０３のように、記号入力状態ＳＴ１２を維持したまま、異なるカテゴリーの候補を表示させる。画面Ｇ１０３では「創作字」カテゴリーにカーソルがある状態となっており、その右側には、「創作字」カテゴリーに含まれる記号（絵文字）が表示されている。
【００６１】
画面Ｇ１０３において、キーボード１１に備わる文字キーである［Ａ］キーが押下されると、制御部３０は、「創作字」カテゴリーに含まれる文字［Ａ］と同義の記号「Ａ」を同義記号テーブル３３ｔから検索し、記号「Ａ」にカーソルを移動させる。このように、文字キーに割り当てられた文字と同義の記号を同義記号テーブル３３ｔから検索する制御部３０が、同義記号検索部に相当する。そして、制御部３０は、表示部１２に画面Ｇ１０４のように、記号選択のための画面を表示させる。記号選択画面Ｇ１０４の下部には、右側に「創作字」カテゴリーに含まれる記号の候補が一覧表示され、その中で、現在カーソルがある記号「Ａ」は反転表示されている。そして、現在カーソルがある記号「Ａ」は、候補一覧の左側に、拡大して表示される。このときの表示部１２が記号表示部に相当する。
【００６２】
画面Ｇ１０４において、選択キーが押下されると、制御部３０は記号「Ａ」を選択し、記号「Ａ」の文字コードを文字列格納バッファー３２ａに格納する。このときの選択キーの押下が所定の制御キーの押下に相当する。また、このように、選択された記号の文字コードを文字列格納バッファー３２ａに格納する制御部３０が、記号格納制御部に相当する。そして、制御部３０は、表示部１２に文字入力のための画面Ｇ１０５を表示させ、文字入力状態ＳＴ１１に遷移させる。画面Ｇ１０５では、記号「Ａ」が挿入されている。
【００６３】
また、画面Ｇ１０４において、キーボード１１に備わる文字キーである［Ｅ］キーが押下されると、制御部３０は、「創作字」カテゴリーに含まれる記号「Ｅ」と同義の記号「Ｅ」を同義記号テーブル３３ｔから検索し、記号「Ｅ」にカーソルを移動させる。そして、表示部１２に画面Ｇ１０６を表示させる。記号選択画面Ｇ１０６では、現在カーソルがある記号「Ｅ」は反転表示されている。また、現在カーソルがある記号「Ｅ」は、候補一覧の左側に、拡大して表示される。
このように、制御部３０は、文字キーに割り当てられた文字と同義の記号を同義記号テーブル３３ｔから検索して、検出した同義記号にカーソルを移動して表示部１２に表示させる。
【００６４】
画面Ｇ１０６において、選択キーが押下されると、制御部３０は記号「Ｅ」を選択し、記号「Ｅ」の文字コードを文字列格納バッファー３２ａに格納する。そして、制御部３０は、表示部１２に文字入力のための画面Ｇ１０７を表示させ、文字入力状態ＳＴ１１に遷移させる。画面Ｇ１０７では、記号「Ｅ」が挿入されている。
【００６５】
また、画面Ｇ１０６において、シフトキーおよび選択キーが同時押下されると、制御部３０は記号「Ｅ」を選択し、記号「Ｅ」の文字コード（記号コード）を記号格納バッファー３２ｂに格納する。このときのシフトキーおよび選択キーの押下も所定の制御キーの押下に相当する。また、このように、選択された記号の文字コードを記号格納バッファー３２ｂに格納する制御部３０も、記号格納制御部に相当する。そして、制御部３０は、表示部１２に連続記号選択のための画面Ｇ１０８を表示させ、連続記号入力状態ＳＴ１３に遷移させる。
【００６６】
画面Ｇ１０８では、画面の上部に、「記号」と「創作字」と連続記号入力状態ＳＴ１３を示す「連続」の文字列が表示される。そして、その下部には、連続入力されている記号を表示するための連続入力記号表示欄ＰＣを示す括弧が表示されている。ここでは、連続入力記号表示欄ＰＣには、選択されて記号格納バッファー３２ｂに格納された記号「Ｅ」が表示される。さらに、記号選択画面Ｇ１０８の下部には、右側に「創作字」カテゴリーに含まれる記号の候補が一覧表示され、その中で、現在カーソルがある記号は反転表示されている。そして、現在カーソルがある記号は、候補一覧の左側に、拡大して表示されている。本実施形態では、記号「Ｅ」が拡大表示されている。
【００６７】
画面Ｇ１０８において、キーボード１１に備わる文字キーである［Ｐ］キーが押下されると、制御部３０は、連続記号入力状態ＳＴ１３を維持したまま、表示部１２に図７に示す画面Ｇ２０１を表示させる。画面Ｇ２０１では、記号「Ｐ」にカーソルがある状態となっている。
【００６８】
画面Ｇ２０１において、シフトキーおよび選択キーが同時押下されると、制御部３０は、記号「Ｐ」を選択し、記号「Ｐ」の文字コードを記号格納バッファー３２ｂに追加格納する。そして、制御部３０は、連続記号入力状態ＳＴ１３を維持しつつ、表示部１２に画面Ｇ２０２を表示させる。ここで、連続入力記号表示欄ＰＣには、選択されて記号格納バッファー３２ｂに格納された記号「Ｐ」が追加表示される。
【００６９】
画面Ｇ２０２において、キーボード１１に備わる文字キーである［Ｓ］キーが押下されると、制御部３０は、連続記号入力状態ＳＴ１３を維持したまま、表示部１２に画面Ｇ２０３を表示させる。画面Ｇ２０３では、記号「Ｓ」にカーソルがある状態となっている。
【００７０】
画面Ｇ２０３において、シフトキーおよび選択キーが同時押下されると、制御部３０は、記号「Ｓ」を選択し、記号「Ｓ」の文字コードを記号格納バッファー３２ｂに追加格納する。そして、制御部３０は、連続記号入力状態ＳＴ１３を維持しつつ、表示部１２に画面Ｇ２０４を表示させる。ここで、連続入力記号表示欄ＰＣには、選択されて記号格納バッファー３２ｂに格納された記号「Ｓ」が追加表示される。
【００７１】
画面Ｇ２０４において、選択キーが押下されると、制御部３０は、記号格納バッファー３２ｂに格納されている記号「Ｅ」「Ｐ」「Ｓ」の文字コードを読み出して、文字列格納バッファー３２ａに格納する。そして、制御部３０は、表示部１２に文字入力のための画面Ｇ２０５を表示させ、文字入力状態ＳＴ１１に遷移する。画面Ｇ２０５では、記号「Ｅ」「Ｐ」「Ｓ」が挿入される。
【００７２】
上述したように、キーボード１１に備わる文字キーを押下することにより、文字キーに割り当てられた文字と同義の記号を選択することができる。そして、シフトキーと選択キーを同時押下することで、記号格納バッファー３２ｂに格納し、さらに、選択キーを押下することで文字列格納バッファー３２ａに格納することができる。
【００７３】
次に、記号種類を切り換えて入力する際の操作と画面遷移および処理について説明する。
図８および図９は、テープ印刷装置１において記号種類を切り換えて入力する場合の画面とその遷移の説明図である。
【００７４】
図８の画面Ｇ３０１は、記号入力状態ＳＴ１２であり、記号選択を受け付ける状態を示している。画面Ｇ３０１の上部には、「記号」の文字列が表示される。そして、画面Ｇ３０１の「記号」の下部には、「記号」に含まれるカテゴリーの候補として、「算数」、「数字」、「２桁数（２桁数字の略）」の文字列が縦に並んで表示されている。ここで、「数字」の文字列は、反転表示されており、カーソルがあることを表している。画面Ｇ３０１のカテゴリー表示の右側には、現在カーソルがある「数字」カテゴリーに含まれる記号（絵文字）が表示されている。
【００７５】
画面Ｇ３０１において、キーボード１１に備わる文字キーである［１］キーが押下されると、制御部３０は、「数字」カテゴリーに含まれる記号「１」と同義の記号「丸付き数字の１（＜１＞）」を同義記号テーブル３３ｔから検索し、記号「＜１＞」にカーソルを移動した状態に切り換える。そして、表示部１２に画面Ｇ３０２を表示させる。記号選択画面Ｇ３０２の下部には、右側に「数字」カテゴリーに含まれる記号の候補が一覧表示され、その中で、現在カーソルがある記号「＜１＞」は反転表示されている。そして、現在カーソルがある記号「＜１＞」は、候補一覧の左側に、拡大して表示される。
【００７６】
画面Ｇ３０２において、キーボード１１に備わる文字キーである［１］キーが再度押下されると、制御部３０は、同義記号テーブル３３ｔを参照し、文字［１］と同義の記号を順次検索する。そして、制御部３０は、「漢数字の１（一）」を検出し、記号「漢数字の１（一）」にカーソルを移動した状態に切り換える。そして、表示部１２に画面Ｇ３０３を表示させる。画面Ｇ３０３では、現在カーソルがある記号「漢数字の１（一）」は反転表示されている。また、現在カーソルがある記号「漢数字の１（一）」は、候補一覧の左側に、拡大して表示される。
【００７７】
画面Ｇ３０３において、シフトキーおよび選択キーが同時押下されると、制御部３０は記号「漢数字の１（一）」を選択し、記号「漢数字の１（一）」の文字コードを記号格納バッファー３２ｂに格納する。そして、制御部３０は、表示部１２に連続記号選択のための画面Ｇ３０４を表示させ、連続記号入力状態ＳＴ１３に遷移させる。
【００７８】
画面Ｇ３０４では、画面の上部に、「記号」と「数字」と連続記号入力状態を示す「連続」の文字列が表示される。そして、その下部には、連続入力されている記号を表示するための連続入力記号表示欄ＰＣを示す括弧が表示されている。ここでは、連続入力記号表示欄ＰＣには、選択されて記号格納バッファー３２ｂに格納された記号「漢数字の１（一）」が表示される。さらに、記号選択画面Ｇ３０４の下部には、右側に「数字」カテゴリーに含まれる記号の候補が一覧表示され、その中で、現在カーソルがある記号は反転表示されている。そして、現在カーソルがある記号は、候補一覧の左側に、拡大して表示されている。本実施形態では、記号「漢数字の１（一）」が拡大表示されている。
【００７９】
画面Ｇ３０４において、キーボード１１に備わる文字キーである［８］キーが押下されると、制御部３０は、文字［８］と同義で、且つ前回選択された記号「漢数字の１（一）」と同種の記号を同義記号テーブル３３ｔから検索する。そして、制御部３０は、「漢数字の８（八）」を検出し、「漢数字の８（八）」にカーソルを移動した状態に切り換える。そして、表示部１２に画面Ｇ３０５を表示させる。つまり、制御部３０は、押下された文字と同義で、且つ前回選択された記号と同種の記号を検索して、表示部１２に表示させる。
【００８０】
画面Ｇ３０５において、キーボード１１に備わる文字キーである［８］キーが再度押下されると、制御部３０は、同義記号テーブル３３ｔを参照し、文字［８］と同義の記号を順次検索する。そして、制御部３０は、「ローマ数字大文字の８」を検出し、記号「ローマ数字大文字の８」にカーソルを移動した状態に切り換える。そして、表示部１２に画面Ｇ３０６を表示させる。
【００８１】
画面Ｇ３０６において、キーボード１１に備わる文字キーである［８］キーが再度押下されると、制御部３０は、同義記号テーブル３３ｔを参照し、文字［８］と同義の記号を順次検索する。そして、制御部３０は、「ローマ数字小文字の８」を検出し、記号「ローマ数字小文字の８」にカーソルを移動した状態に切り換える。そして、表示部１２に画面Ｇ３０７を表示させる。
【００８２】
画面Ｇ３０７において、キーボード１１に備わる文字キーである［８］キーが再度押下されると、制御部３０は、同義記号テーブル３３ｔを参照し、文字［８］と同義の記号を順次検索する。そして、制御部３０は、「下付き数字の８」を検出し、記号「下付き数字の８」にカーソルを移動した状態に切り換える。そして、表示部１２に図９の画面Ｇ４０１を表示させる。
【００８３】
画面Ｇ４０１において、キーボード１１に備わる文字キーである［８］キーが再度押下されると、制御部３０は、同義記号テーブル３３ｔを参照し、文字［８］と同義の記号を順次検索する。そして、制御部３０は、「上付き数字の８」を検出し、記号「上付き数字の８」にカーソルを移動した状態に切り換える。そして、表示部１２に、画面Ｇ４０２を表示させる。
【００８４】
画面Ｇ４０２において、キーボード１１に備わる文字キーである［８］キーが再度押下されると、制御部３０は、同義記号テーブル３３ｔを参照し、文字［８］と同義の記号を順次検索する。本実施形態では、同義記号テーブル３３ｔの最後尾の記号まで検索したら、次は同義記号テーブル３３ｔの先頭の記号に戻るものとする。よって、制御部３０は、「丸付き数字の８（＜８＞）」を検出し、記号「＜８＞」にカーソルを移動した状態に切り換える。そして、表示部１２に、画面Ｇ４０３を表示させる。
【００８５】
画面Ｇ４０３において、シフトキーおよび選択キーが同時押下されると、制御部３０は記号「＜８＞」を選択し、記号「＜８＞」の文字コードを記号格納バッファー３２ｂに格納する。そして、制御部３０は、表示部１２に画面Ｇ４０４を表示させる。ここで、連続入力記号表示欄ＰＣには、選択されて記号格納バッファー３２ｂに格納された「＜８＞」が追加表示される。
【００８６】
画面Ｇ４０４において、選択キーが押下されると、制御部３０は、記号格納バッファー３２ｂに格納されている「漢数字の１（一）」および「＜８＞」の文字コードを読み出して、文字列格納バッファー３２ａに格納する。そして、制御部３０は、表示部１２に文字入力のための画面Ｇ４０５を表示させ、文字入力状態ＳＴ１１に遷移する。画面Ｇ４０５では、「漢数字の１（一）」および「丸付き数字の８＜８＞」が表示される。
【００８７】
上述したように、キーボード１１に備わる文字キーを押下することにより、文字キーに割り当てられた文字と同義の記号を選択することができる。また、同じ文字キーを複数回押下することで、同義の他種の記号を選択することができる。さらに、記号格納バッファー３２ｂに記号を格納した直後の文字キーの押下では、記号格納バッファー３２ｂに格納した記号と同種の記号を選択することができる。
そして、テープ印刷装置１は、文字列格納バッファー３２ａに格納された文字列をテープＴに印刷することができる。
【００８８】
上述した実施形態によれば、以下の効果が得られる。
（１）テープ印刷装置１は、記号入力状態ＳＴ１２または連続記号入力状態ＳＴ１３において、キーボード１１に備わる文字キーが押下されると、当該文字キーに割り当てられた文字と同義の記号を検索し、表示する。そして、シフトキーと選択キーの同時押下や選択キーの単独押下によって、同義の記号を選択する。これにより、文字キーに割り当てられた文字と同義の記号の選択操作が容易になる。つまり、ユーザーは、記号の選択の際に、カーソルを移動させて記号を探して、選択するという操作を行う必要がないため、利便性が向上する。
【００８９】
（２）テープ印刷装置１は、記号入力状態ＳＴ１２または連続記号入力状態ＳＴ１３において、同一の文字キーの押下操作が連続して行われると、同義記号テーブル３３ｔを順次検索して同義記号を検出して表示する。これにより、ユーザーは、同一の文字キーを連続押下すれば、同義記号の候補が順次表示され、選択することが可能になる。よって、同義記号の選択を容易に行うことができる。
【００９０】
（３）テープ印刷装置１は、連続記号入力状態ＳＴ１３において、１つの同義記号が選択された後、別の文字キーが押下されると、押下された文字キーに割り当てられた文字と同義で、且つ前回選択された記号と同種の記号を、同義記号テーブル３３ｔを検索して表示する。これにより、ユーザーは、押下した文字キーに割り当てられた文字と同義で、且つ前回選択した記号と同種の記号を選択することが可能になる。つまり、連続して同種の記号を入力することが可能になるため、利便性が向上する。
【００９１】
（４）テープ印刷装置１は、キーボード１１に備わる文字キーに割り当てられた文字と同義の記号を、同義記号テーブル３３ｔを用いて検索する。これにより、同義の記号の検索処理が簡易になり、ソフトウェアの負荷を低減することができる。
【００９２】
（５）テープ印刷装置１は、記号入力状態ＳＴ１２または連続記号入力状態ＳＴ１３に切り換わっている場合に、文字キーに割り当てられた文字と同義の記号を検索する。これにより、記号入力状態ＳＴ１２または連続記号入力状態ＳＴ１３の場合のみ、同義記号を検索して表示するので、文字入力状態ＳＴ１１での文字の入力効率を低下させることがない。
【００９３】
また、上述した実施形態は、上記機能を実現するためのプログラムをコンピューターで読み取り可能に記録した記録媒体等の態様で構成することも可能である。記録媒体としては、フレキシブルディスクやハードディスク、ＣＤ−ＲＯＭ（Compact Disk Read Only Memory）、ＤＶＤ（Digital Versatile Disk）、Ｂｌｕ−ｒａｙ  Ｄｉｓｃ（登録商標）、光磁気ディスク、不揮発性メモリーカード、テープ印刷装置の内部記憶装置（ＲＡＭやＲＯＭ等の半導体メモリー）、及び外部記憶装置（ＵＳＢ（Universal Serial Bus）メモリー等）等、前記コンピューターが読み取り可能な種々の媒体を利用することができる。
【００９４】
なお、上述した実施形態に限定されず、種々の変更や改良等を加えて実施することが可能である。変形例を以下に述べる。
【００９５】
（変形例１）上記実施形態では、記号入力状態ＳＴ１２において、シフトキーと選択キーの同時押下によって、連続記号入力状態ＳＴ１３に遷移するものとしたが、連続記号入力状態ＳＴ１３に遷移するためのキーは、他の単独のキーとしてもよい。
【００９６】
（変形例２）上記実施形態では、文書処理装置としてテープ印刷装置１を例にして説明しているが、文書処理装置はテープ印刷装置に限定するものではない。例えば、記号や絵文字の選択が可能なワードプロセッサー等に適用することも可能である。
【００９７】
（変形例３）上記実施形態では、テープＴに文字等を印刷するための印刷方式として、サーマルヘッド１５による熱転写方式を用いているが、この方式に限られず、インク滴を吐出するインクジェット方式等、他の印刷方式を用いてもよい。
【符号の説明】
【００９８】
１…テープ印刷装置、２…テープカートリッジ、１０…筐体、１１…キーボード、１２…表示部、１３…凹部、１４…開閉蓋、１４ａ…確認窓、１５…サーマルヘッド、１６…搬送機構、１６ａ，１６ｂ…回転軸、１７…スリット、１８…カッターユニット、１９…識別センサー、２０…カートリッジケース、２１…孔状のヘッド嵌合部、２２ａ，２２ｂ…孔状の被駆動部、３０…制御部、３０ａ…バス、３１…ＣＰＵ、３２…ＲＡＭ、３２ａ…文字列格納バッファー、３２ｂ…記号格納バッファー、３３…ＲＯＭ、３３ｔ…同義記号テーブル、３４…ＣＧＲＯＭ、３４ａ…文字記憶部、３４ｂ…記号記憶部、３５…入力インターフェイス（Ｉ／Ｆ）、３６…出力インターフェイス（Ｉ／Ｆ）、４１…表示駆動部、４２…ヘッド駆動部、４３…搬送駆動部、４４…カッター駆動部。
【図１】
2012125929.tif 000003
【図２】
2012125929.tif 000004
【図３】
2012125929.tif 000005
【図４】
2012125929.tif 000006
【図５】
2012125929.tif 000007
【図６】
2012125929.tif 000008
【図７】
2012125929.tif 000009
【図８】
2012125929.tif 000010
【図９】
2012125929.tif 000011